(57)【要約】  記録媒体にデータを記録する方法と装置が開示される。ウォブル形状のテスト領域を含む記録媒体にデータを記録する方法は、（ａ）既使用のテスト領域を判定するステップと、（ｂ）ウォブルカウント基準位置でウォブルの数をカウントすることによりテスト領域の現在のＯＰＣ開始位置を検索するステップと、（ｃ）最適パワー制御（ＯＰＣ）プロセスを実行して当該ＯＰＣ開始位置で最適記録パワーを算出するステップと、（ｄ）算出された最適記録パワーを使用してデータ領域にデータを記録するステップと、を含む。したがって、記録媒体をＢＤの製造方法に適用でき、ディスクテストプロセス及びデータ記録／再生動作が効果的に実行できる。
2008512817.tif 000002
【特許請求の範囲】
【請求項１】
ウォブル形状のテスト領域を含む記録媒体にデータを記録する方法であって、
（ａ）既使用のテスト領域を判定するステップと、
（ｂ）基準位置でウォブルの数をカウントすることにより前記テスト領域のＯＰＣ開始位置を検索するステップと、
（ｃ）最適パワー制御（ＯＰＣ）プロセスを実行して前記検索されたＯＰＣ開始位置で最適記録パワーを算出するステップと、
（ｄ）前記算出された最適記録パワーを使用してデータ領域にデータを記録するステップと
を備えることを特徴とする方法。
【請求項２】
現在のＯＰＣプロセスに必要なＯＰＣ領域のサイズを決定するステップをさらに備えることを特徴とする請求項１に記載の方法。
【請求項３】
前記記録媒体は、記録可能なブルーレイディスク（ＢＤ−Ｒ）であることを特徴とする請求項１に記載の方法。
【請求項４】
前記テスト領域は、内部領域に位置づけられたＯＰＣ領域であることを特徴とする請求項１に記載の方法。
【請求項５】
前記テスト領域は、外部領域に位置づけられたＤＣＺ領域であることを特徴とする請求項１に記載の方法。
【請求項６】
前記ステップ（ａ）は、前記記録媒体に格納された管理情報に基づいて前記既使用のテスト領域を判定することを特徴とする請求項１に記載の方法。
【請求項７】
前記管理情報は、前記記録媒体の管理領域に格納されることを特徴とする請求項６に記載の方法。
【請求項８】
前記管理情報は、前記既使用のテスト領域の開始位置を示すことを特徴とする請求項７に記載の方法。
【請求項９】
前記ステップ（ｂ）は、所定の基準ウォブルが検出される場合、ウォブルカウント基準位置を判定するステップを含むことを特徴とする請求項１に記載の方法。
【請求項１０】
前記ステップ（ｂ）は、物理的クラスタの開始位置を示すウォブルカウント基準位置を判定するステップを含むことを特徴とする請求項１に記載の方法。
【請求項１１】
前記ステップ（ｂ）は、ＡＤＩＰワードの開始位置を示すウォブルカウント基準位置を判定するステップを含むことを特徴とする請求項１に記載の方法。
【請求項１２】
前記ＡＤＩＰワードの開始位置は、前記ＡＤＩＰワードに含まれたＡＤＩＰ単位の情報により認識されることを特徴とする請求項１１に記載の方法。
【請求項１３】
前記ステップ（ｂ）は、現在のＯＰＣプロセスに必要なＯＰＣ領域のサイズに基づいて前記ＯＰＣ開始位置を判定することを特徴とする請求項１に記載の方法。
【請求項１４】
前記ＯＰＣ開始位置は、前記現在のＯＰＣプロセスに必要なＯＰＣ領域のサイズに依存して変動することを特徴とする請求項１３に記載の方法。
【請求項１５】
ウォブル形状のテスト領域を含む記録媒体にデータを記録する方法であって、
（ａ）既使用のテスト領域を判定するステップと、
（ｂ）基準位置でウォブルの数をカウントすることによりマッチングテーブルの情報と同一な前記テスト領域の現在のＯＰＣ開始位置を検索するステップと、
（ｃ）最適パワー制御（ＯＰＣ）プロセスを実行して前記検索されたＯＰＣ開始位置で最適記録パワーを算出するステップと、
（ｄ）前記算出された最適記録パワーを使用してデータ領域にデータを記録するステップと
を備えることを特徴とする方法。
【請求項１６】
前記マッチングテーブル情報は、ＡＵＮ情報と、ＡＤＩＰワード情報と、ＡＤＩＰ単位情報と、を含むことを特徴とする請求項１５に記載の方法。
【請求項１７】
前記マッチングテーブルに含まれた前記ＡＤＩＰ単位情報は、個別のＡＤＩＰワードのＡＤＩＰ単位情報を示すことを特徴とする請求項１６に記載の方法。
【請求項１８】
ウォブル形状のテスト領域を含む記録媒体の最適パワー制御（ＯＰＣ）開始位置を検索する方法であって、
（ａ）前記テスト領域で既使用のテスト領域を判定するステップと、
（ｂ）ＡＤＩＰワード開始情報に基づいてウォブルカウント開始基準位置を判定するステップと、
（ｃ）前記ウォブルカウント開始基準位置でウォブルの数をカウントすることにより前記記録媒体のＯＰＣ実行開始位置を検索するステップと
を備えることを特徴とする方法。
【請求項１９】
前記テスト領域は、内部方向に配置されたＯＰＣ領域と外部方向に配置されたＤＣＺ領域の中でいずれか一つの領域であることを特徴とする請求項１８に記載の方法。
【請求項２０】
ウォブル形状のテスト領域を含む記録媒体の最適パワー制御（ＯＰＣ）開始位置を検索する方法であって、
（ａ）前記テスト領域で既使用のテスト領域を判定するステップと、
（ｂ）ＡＤＩＰワード開始情報に基づいてウォブルカウント開始基準位置を判定するステップと、
（ｃ）前記ウォブルカウント開始基準位置でマッチングテーブルに対応するウォブルの数をカウントすることにより前記記録媒体のＯＰＣ実行開始位置を検索するステップと、
を備えることを特徴とする方法。
【請求項２１】
前記マッチングテーブル情報は、ＡＵＮ情報と、ＡＤＩＰワード情報と、ＡＤＩＰ単位情報と、を含むことを特徴とする請求項２０に記載の方法。
【請求項２２】
記録媒体にデータを記録する装置であって、
マッチングテーブル情報を格納するメモリと、
前記メモリに格納された前記マッチングテーブル情報を使用して前記記録媒体のテスト領域で最適パワー制御（ＯＰＣ）開始位置を検索し、前記検索されたＯＰＣ開始位置でＯＰＣプロセスを実行して最適記録パワーを算出し、前記算出された最適記録パワーの情報を記録する記録再生部と、
命令に従って前記記録再生部を制御する制御装置と
を備えることを特徴とする装置。
【請求項２３】
前記メモリは、ＡＵＮ情報と、ＡＤＩＰワード情報と、ＡＤＩＰ単位情報と、を含む前記マッチングテーブル情報を格納することを特徴とする請求項２２に記載の装置。
【発明の詳細な説明】
【技術分野】
【０００１】
本発明は、記録媒体にデータを記録する方法及び装置に関し、より詳しくは、記録媒体にデータが記録されるときのテスト領域の開始位置を判定し、このような開始位置の情報を記録媒体に記録する方法及び装置に関する。
【背景技術】
【０００２】
一般に、大容量のデータが記録可能な記録媒体としての役割を果たす光ディスクが広く使用されている。その中でも、近年では高画質のビデオデータと高音質のオーディオデータを長期間記録し格納することができる高密度光記録媒体、例えば、ブルーレイディスク（Blu-ray Disc（登録商標）：ＢＤ）が開発されている。
【０００３】
次世代記録媒体技術に基づくブルーレイディスク（ＢＤ）は、既存のＤＶＤを遥かに超える容量のデータを格納することができる次世代光記録ソリューションであると考えられている。最近、多くの開発者は、他のデジタルデバイスの国際標準技術仕様とともにＢＤ関連の国際標準技術仕様に関する集中的な研究を行っている。
【０００４】
しかし、まだＢＤに使用される望ましいデータ記録方法が構築されておらず、ＢＤを基盤とした光記録／再生デバイスの開発に多くの制限事項と問題点が発生する。
【発明の開示】
【発明が解決しようとする課題】
【０００５】
したがって、本発明は上述したような従来技術の制限事項及び不都合による１つまたは複数の問題点を実質的に解決する、記録媒体にデータを記録する方法及び装置を対象にする。
【０００６】
本発明の目的は、ＢＤなどの記録媒体におけるテスト領域の開始位置を判定し、かつ有限な記録領域を最大限に使用するための方法及び装置を提供することである。
【０００７】
本発明のさらなる利点、目的、及び特徴は以下の説明において一部説明され、以下の考察において当業者に一部明らかになり、本発明の実施から把握できる。本発明の目的及び他の利点は、発明の詳細な説明及び特許請求の範囲と同様に添付図面において特に指摘された構造によって実現され、達成されることが可能である。
【課題を解決するための手段】
【０００８】
本明細書において具体化され、かつ広く説明されているような、前記目的及び他の利点を達成するため、及び本発明の目的を踏まえれば、ウォブル形状（wobble-shaped）のテスト領域を含む記録媒体にデータを記録する方法は、（ａ）既使用（pre-used）のテスト領域を判定するステップと、（ｂ）ウォブルカウント基準位置でウォブルの数をカウントすることによりテスト領域の現在のＯＰＣ開始位置を検索するステップと、（ｃ）最適パワー制御（ＯＰＣ：Optimum Power Control）プロセスを実行してＯＰＣ開始位置での最適記録パワー（optimum write power）を算出するステップと、（ｄ）算出された最適記録パワーを使用してデータ領域にデータを記録するステップと、を含む。
【０００９】
本発明のほかの様態によれば、ウォブル形状のテスト領域を含む記録媒体にデータを記録する方法は、（ａ）既使用のテスト領域を判定するステップと、（ｂ）ウォブルカウント基準位置でウォブルの数をカウントすることによりマッチングテーブルの情報と同一なテスト領域の現在のＯＰＣ開始位置を検索するステップと、（ｃ）最適パワー制御（ＯＰＣ：Optimum Power Control）プロセスを実行して検索されたＯＰＣ開始位置での最適記録パワーを算出するステップと、（ｄ）算出された最適記録パワーを使用してデータ領域にデータを記録するステップと、を含む。
【００１０】
本発明のまた他の様態によれば、ウォブル形状のテスト領域を含む記録媒体のＯＰＣ開始位置を検索する方法は、（ａ）テスト領域で既使用のテスト領域を判定するステップと、（ｂ）ＡＤＩＰ（Address In Pre-groove）ワード開始情報をチェックすることによりウォブルカウントの開始基準位置を判定するステップと、（ｃ）ウォブルカウントの開始基準位置でウォブルの数をカウントすることにより記録媒体のＯＰＣ実行開始位置を検索するステップと、を含む。
【００１１】
本発明のまた他の様態によれば、ウォブル形状のテスト領域を含む記録媒体のＯＰＣ開始位置を検索する方法は、（ａ）テスト領域で既使用のテスト領域を判定するステップと、（ｂ）ＡＤＩＰ（Address In Pre-groove）ワード開始情報をチェックすることによりウォブルカウントの開始基準位置を判定するステップと、（ｃ）ウォブルカウントの開始基準位置でマッチングテーブルに対応するウォブルの数をカウントすることにより記録媒体のＯＰＣ実行開始位置を検索するステップと、を含む。
【００１２】
本発明のまた他の様態によれば、記録媒体にデータを記録する装置は、マッチングテーブル情報を格納するメモリと、記録命令を送信する制御装置と、制御装置から記録命令を受信し、記録媒体のテスト領域でＯＰＣ開始位置を検索し、検索されたＯＰＣ開始位置でＯＰＣプロセスを実行して最適記録パワーを算出し、算出された最適記録パワーの情報を記録する記録再生部と、命令語によって記録／再生を制御する制御装置と、を含む。
【００１３】
本発明に係る前述した課題を解決するための手段の説明と後述する実施形態の説明は、例示であり、説明目的のものであり、本発明のさらなる説明を提供することを意図していることを理解すべきである。
【００１４】
前述した一般的な説明と後述する本発明の詳細な説明は、例示であり、かつ説明目的のものであって、特許請求の範囲に記載したような本発明のさらなる説明を提供することを意図していることを理解すべきである。
【発明を実施するための最良の形態】
【００１５】
以下、本発明の好ましい実施形態についての参照が詳細になされ、その例は添付図面において説明される。なお、可能な限り、同一の図面参照符号は、他の図面でも同一または類似な要素を示すために使用される。
【００１６】
本発明を説明する前に、本発明において開示されているほとんどの用語は、当技術分野において広く使われる一般的な用語に対応するが、特定の用語は出願人によって任意に選定されており、この場合には、該当する発明の詳細な説明部分でその意味について詳しく記載した。したがって、出願人によって定義された用語は、本発明におけるそれらの用語の意味に基づいて理解されることが好ましい。
【００１７】
本発明で使用した“記録媒体（recording medium）”の意味は、さまざまな記録方式による記録可能なすべての記録媒体を示し、例えば、光ディスク、磁気テープなどを含む。以下、説明の便宜上及び本発明をよりよく理解するために、ＢＤなどの光ディスクを本発明の上記記録媒体として例示的に使用する。本発明の技術思想は、本発明の範囲及び要旨から離れることなく他の記録媒体に適用可能である。
【００１８】
“ＯＰＣ（Optimum Power Control）領域”という用語は、記録媒体内においてＯＰＣプロセスを実行するために割り当てられた所定の領域を意味する。“ＯＰＣ（Optimum Power Control）”という用語は、記録可能な光ディスクにデータを記録するときに最適記録パワーの算出が可能な所定のプロセスを意味する。
【００１９】
すなわち、光ディスクが特定の光記録／再生デバイスにロードされると、光記録／再生デバイスは、光ディスクのＯＰＣ領域にデータを記録する所定のプロセス及び記録されたデータを再生する所定のプロセスを反復的に実行して、光ディスクに適用可能な最適記録パワーを算出する。その後、光記録／再生デバイスは、光ディスクにデータを記録するときに、算出された最適記録パワーを使用する。したがって、ＯＰＣ領域が記録可能な光ディスクに対して要求される。
【００２０】
“ＤＣＺ（Drive Calibration Zone）領域”という用語は、記録媒体で光記録／再生デバイス（または‘ドライブ（drive）’）により使用される特定の領域を意味し、この領域はＯＰＣプロセスだけではなく光記録／再生デバイスに対して要求される多様なテストも実行することができる。
【００２１】
ここで、ＯＰＣ領域とＤＣＺ領域はＯＰＣプロセスのために使用することができる。本発明によれば、ＯＰＣ領域及びＤＣＺ領域は、一般的にテスト領域またはテストゾーン（Test zone）として示される。ＯＰＣ領域でのＯＰＣ実行はＤＣＺ領域でも適用可能である。
【００２２】
図１は、本発明によるデータを記録することができるシングルレイヤの光ディスクの構造を示す図である。説明の便宜上、データを記録することができるシングルレイヤのＢＤ−Ｒが図１に示される。
【００２３】
図１を参照すれば、光ディスクは、ディスク内部環境に基づいて順番に内部領域と、データ領域と、外部領域と、を含む。内部領域及び外部領域の各々に含まれる特定の領域は、ディスク管理情報を記録するための記録領域またはテスト領域として使用される。データ領域は実際のユーザデータを記録する。
【００２４】
以下、内部領域及び外部領域について詳細に説明する。内部領域は、ＰＩＣ（Permanent Information & Control data）領域と、ＯＰＣ領域と、２個の情報領域（すなわち、info-areas）ＩＮ１及びＩＮ２と、を含む。ＰＩＣ領域は、エンボスされた（embossed）ＨＦＭ（High Frequency Modulated）信号としてディスク管理情報を記録する。テスト領域として機能するＯＰＣ領域は、ＯＰＣプロセスを実行するように適応される。情報領域ＩＮ１及びＩＮ２は、ＤＭＡ（Defect Management Area）を含む多様なディスク管理情報を記録する。
【００２５】
この場合、追記型ＢＤ−Ｒは、ＯＰＣ領域に隣接するＴＤＭＡ（Temporary Disc Management Area）をさらに含む。
【００２６】
以下、外部領域について詳細に説明する。外部領域は２個の他の情報領域ＩＮ３及びＩＮ４と、ＤＣＺ領域と、保護領域Ｐｒ３と、を含む。
【００２７】
本発明によるＢＤ−Ｒは、データをランド（Land）部とグルーブ（Groove）部からなる記録層の中のグルーブ部にデータを記録する。グルーブ部はＨＦＭグルーブとウォブルグルーブからなる。
【００２８】
特に、ウォブルグルーブは、記録層に含まれたグルーブに正弦波と関連する変調方式を使用してウォブルされた形状の形態で構成される。光記録／再生デバイスは、上述したウォブル形状を使用して対応するグルーブのアドレス情報（すなわち、ＡＤＩＰ：Address In Pre-groove）及び一般的なディスク情報を読み出すことができる。
【００２９】
図２は、本発明によるデータを記録することができるデュアルレイヤの光ディスク構造を示す図である。
【００３０】
より具体的には、図２には、データを記録することができるデュアルレイヤの追記型ＢＤ−Ｒが示される。この場合、２個の記録層の中で一つの記録層は“Ｌａｙｅｒ０（Ｌ０）”と呼ばれ、残りの一つの記録層は“Ｌａｙｅｒ１（Ｌ１）”と呼ばれる。
【００３１】
図２に示したように、個別の記録層は、本発明によれば、追記型デュアルレイヤのＢＤ−Ｒで同一な構造を有する。記録層Ｌ０の内部領域はテスト領域としてのＯＰＣ領域を含み、記録層Ｌ１の内部領域はテスト領域としてのＤＣＺ領域を含む。
【００３２】
したがって、光記録／再生デバイスにディスクがロードされると、光記録／再生デバイスは、ＯＰＣ領域及び／またはＤＣＺ領域でＯＰＣプロセスを使用して最適記録パワーを算出する。すなわち、光記録／再生デバイスにディスクがロードされると、光記録／再生デバイスは、シングルレイヤの光ディスク構造でのように光記録／再生動作を実行する。
【００３３】
以下、テスト領域の管理情報を格納する領域について説明する。
【００３４】
図３は、本発明によるＯＰＣプロセスを実行する方法を示す概念図である。
【００３５】
記録媒体内で光記録／再生デバイスの記録媒体トラッキング（tracking）方向は、ＰＳＮ（Physical Section Number）が増加するＰＳＮ増加方向で決定される。記録媒体でＯＰＣプロセスを実行する方向は、高ＰＳＮから低ＰＳＮにＰＳＮが減少するＰＳＮ減少方向で決定される。
【００３６】
ＯＰＣプロセス後の記録方向は、トラッキング方向と同様に低ＰＳＮから高ＰＳＮへのＰＳＮ増加方向で決定される。
【００３７】
また、上述の説明に関連して、記録媒体のデータ領域でデータを記録する単位は１クラスタ単位であり、ＯＰＣ領域でＯＰＣプロセスを実行することによりデータを記録する単位は１クラスタ単位である。しかし、ＯＰＣプロセスにより取得されるデータ記録領域は１クラスタに満たない場合もあり、または１クラスタを上回る場合もある。
【００３８】
例えば、ＯＰＣプロセスを実行するために記録されるデータの単位は、ＡＵＮ（Address Unit Number）と同一である。ＡＵＮは、データ記録時間の間に使用されるアドレス情報を示す。データ記録以前に形成される事前領域として機能する未使用ＯＰＣ領域が上述したＡＵＮ情報を含まないことは、当業者には自明である。
【００３９】
この場合、ＡＵＮはクラスタに満たない範囲を有する単位として機能し、単一クラスタは１６個のＡＵＮを含む。
【００４０】
より具体的には、単一のＯＰＣプロセスの実行長は、光記録／再生デバイスにより選択され、物理的クラスタの数により制限されない。
【００４１】
したがって、上述のように、ＯＰＣプロセスにより取得されたデータが記録されるとき、データはクラスタ単位の代わりにＡＵＮ単位で記録される。より具体的には、ＢＤ−Ｒは制限されたＯＰＣ領域を有し、一回使用されたＯＰＣ領域は再使用することができないので、ＢＤ−Ｒは制限されたＯＰＣ領域を最大限使用する必要がある。したがって、クラスタで新しいＯＰＣプロセスの開始位置を判定することは非常に重要である。
【００４２】
図３は、３個のＯＰＣプロセスが実行される特定の場合を示す。より具体的には、図３は、各々ＯＰＣプロセスを実行する複数の部分と、個別部分を識別するための複数のＯＰＣマーカー（marker）と、を示している。
【００４３】
第１のＯＰＣプロセスを実行する部分は“Ｃｌｕｓｔｅｒ＃Ｐ＋１”で表示され、“ＯＰＣ＃Ｍ”で表示される第１の部分と、“ＯＰＣ  Ｍａｒｋｅｒ＃Ｍ”で表示される第２の部分と、を含む。“ＯＰＣ＃Ｍ”の部分はデータを記録し、“ＯＰＣ  Ｍａｒｋｅｒ＃Ｍ”は“ＯＰＣ＃Ｍ”の部分を識別する。
【００４４】
第２のＯＰＣプロセスを実行する部分は、“Ｃｌｕｓｔｅｒ＃Ｐ”と、“Ｃｌｕｓｔｅｒ＃Ｎ”と、“Ｃｌｕｓｔｅｒ＃Ｎ−１”の一部を含む。“ＯＰＣ＃Ｍ＋１”で表示された部分はデータを記録し、“ＯＰＣ  Ｍａｒｋｅｒ＃Ｍ＋１”は“ＯＰＣ＃Ｍ＋１”の部分を識別する。
【００４５】
第３のＯＰＣプロセスを実行する部分は“Ｃｌｕｓｔｅｒ＃Ｎ−１”の部分の一部で構成される。より具体的には、第３のＯＰＣプロセスを実行する部分は“ＯＰＣ＃Ｍ＋２”及び“ＯＰＣ  Ｍａｒｋｅｒ＃Ｍ＋２”を含む。“ＯＰＣ＃Ｍ＋２”の部分はデータを記録し、“ＯＰＣ  Ｍａｒｋｅｒ＃Ｍ＋２”の部分は“ＯＰＣ＃Ｍ＋２”の部分を識別する。この場合、“ＯＰＣ  Ｍａｒｋｅｒ＃Ｍ＋２”部分以前に位置付けられた“Ｃｌｕｓｔｅｒ＃Ｎ−２”と“Ｃｌｕｓｔｅｒ＃Ｎ−１”の一部の部分は、未使用クラスタ領域として機能する。
【００４６】
また、上述の説明に関連して、ＯＰＣプロセスと関連するデータ記録領域を識別することができるＯＰＣマーカーの中で２個の連続的なＯＰＣマーカーの間の距離は１６クラスタに対応する所定の長さと同一であるかそれより小さい。例えば、少なくとも１６クラスタを要求するＯＰＣプロセスで上述した要件を満たすためには、ＯＰＣマーカーがＯＰＣプロセスに挿入されなければならない。この場合、上述したＯＰＣマーカーは少なくとも８６８ＮＷＬｓ（Nominal Wobble Lengths）に対応する所定の長さを有する必要がある。
【００４７】
図３に示した“ＯＰＣ＃Ｍ”の部分はＯＰＣ領域で単一クラスタ（すなわち、１クラスタ）を占める。“ＯＰＣ＃Ｍ＋１”の部分はＯＰＣ領域で１クラスタより大きい所定の領域を占める。“ＯＰＣ＃Ｍ＋２”の部分はＯＰＣ領域で１クラスタより小さい所定の領域を占める。ＯＰＣプロセスはクラスタ単位より小さい単位で、例えば、ＡＵＮ単位で実行されることが理解できる。
【００４８】
したがって、最終ＯＰＣプロセスにより記録された“ＯＰＣ＃Ｍ＋２”の部分はＯＰＣ領域で１クラスタより小さい所定の領域を占め、“Ｃｌｕｓｔｅｒ＃Ｎ−１”の一部を示す部分“Ａ”は未使用のままである。
【００４９】
図４は、本発明によるクラスタと、ＡＤＩＰ（Address In Pre-groove）ワードと、ＡＵＮ（Address Unit Number）と、ＡＤＩＰ単位（ADIP unit）と、ウォブルとの間の関係を示す概念図である。
【００５０】
図４を参照すれば、ＯＰＣ領域の中で１クラスタが図４に示される。１クラスタは１３９４４ウォブルを含み、２４９ＡＤＩＰ単位を含む。１クラスタは４９８シンクフレーム（sync frames）及び３ＡＤＩＰワードに対応する。この場合、３個のＡＤＩＰワードは、図４に示したように、ＡＤＩＰワード０（ADIP word 0）、ＡＤＩＰワード１（ADIP word 1）及びＡＤＩＰワード２（ADIP word 2）である。
【００５１】
また、上述の説明に関連して、１ＡＤＩＰワードは８３ＡＤＩＰ単位を含み、ＡＤＩＰ単位は５６ウォブルを含む。１クラスタは１６ＡＵＮを含む。この場合、単一ＡＵＮは８６８ウォブルの長さに対応し、１５．５ＡＤＩＰ単位に対応する。また、ウォブルはＮＷＬ（Nominal Wobble Length）を示す。
【００５２】
図５は、本発明の好ましい第１の実施形態によるＡＵＮと、ＡＤＩＰワードと、ＡＤＩＰ単位との間のマッチングテーブルを示す図である。
【００５３】
図５を参照すれば、１ＡＵＮの長さは１５．５ＡＤＩＰ単位の長さと同一であるので、個別のＡＵＮの開始位置での個別のＡＤＩＰワードは、個別のＡＤＩＰワードに含まれたＡＤＩＰ単位にマッチングされてテーブルのような結果を示す。
【００５４】
図５に示したＡＵＮ０は、“ＡＤＩＰ  ｗｏｒｄ  ０”の“０ＡＤＩＰ  ｕｎｉｔ”に対応する。ＡＵＮ１は“ＡＤＩＰ  ｗｏｒｄ  ０”の“１５．５ＡＤＩＰ  ｕｎｉｔ”に対応する。ＡＵＮ２は“ＡＤＩＰ  ｗｏｒｄ  ０”の“３１ＡＤＩＰ  ｕｎｉｔ”に対応する。ＡＵＮ３は“ＡＤＩＰ  ｗｏｒｄ  ０”の“４６．５ＡＤＩＰ  ｕｎｉｔ”に対応する。ＡＵＮ４は“ＡＤＩＰ  ｗｏｒｄ  ０”の“６２ＡＤＩＰ  ｕｎｉｔ”に対応する。ＡＵＮ５は“ＡＤＩＰ  ｗｏｒｄ  ０”の“７７．５ＡＤＩＰ  ｕｎｉｔ”に対応する。
【００５５】
ＡＵＮ６からのＡＵＮは、“ＡＤＩＰ  ｗｏｒｄ  １”の領域に対応する。
【００５６】
ＡＵＮ６は“ＡＤＩＰ  ｗｏｒｄ  １”の１０ＡＤＩＰ単位に対応する。ＡＵＮ７は“ＡＤＩＰ  ｗｏｒｄ  １”の２５．５ＡＤＩＰ単位に対応する。ＡＵＮ８は“ＡＤＩＰ  ｗｏｒｄ  １”の４１ＡＤＩＰ単位に対応する。ＡＵＮ９は“ＡＤＩＰ  ｗｏｒｄ  １”の５６．５ＡＤＩＰ単位に対応する。ＡＵＮ１０は“ＡＤＩＰ  ｗｏｒｄ  １”の７２ＡＤＩＰ単位に対応する。
【００５７】
ＡＵＮ１１からのＡＵＮは“ＡＤＩＰ  ｗｏｒｄ  ２”の領域に対応する。
【００５８】
ＡＵＮ１１は“ＡＤＩＰ  ｗｏｒｄ  ２”の４．５ＡＤＩＰ単位に対応する。ＡＵＮ１２は“ＡＤＩＰ  ｗｏｒｄ  ２”の２０ＡＤＩＰ単位に対応する。ＡＵＮ１３は“ＡＤＩＰ  ｗｏｒｄ  ２”の３５．５ＡＤＩＰ単位に対応する。ＡＵＮ１４は“ＡＤＩＰ  ｗｏｒｄ  ２”の５１ＡＤＩＰ単位に対応する。ＡＵＮ１５は“ＡＤＩＰ  ｗｏｒｄ  ２”の６６．５ＡＤＩＰ単位に対応する。
【００５９】
図５に示したＡＵＮとＡＤＩＰ単位の間のマッチングテーブルと関連する情報は光記録／再生デバイスに格納された情報を示す。
【００６０】
図６は、本発明による単一ＡＤＩＰワードが８３個のＡＤＩＰ単位で構成される一例を示す図である。
【００６１】
図６から分かるように、ＡＤＩＰワードの先頭の９個のＡＤＩＰ単位は順番に“ｍｏｎｏｔｏｎｅ  ｕｎｉｔ”、“ｓｙｎｃ＿０  ｕｎｉｔ”、“ｍｏｎｏｔｏｎｅ  ｕｎｉｔ”、“ｓｙｎｃ＿１  ｕｎｉｔ”、“ｍｏｎｏｔｏｎｅ  ｕｎｉｔ”、“ｓｙｎｃ＿２  ｕｎｉｔ”、“ｍｏｎｏｔｏｎｅ  ｕｎｉｔ”、“ｓｙｎｃ＿３  ｕｎｉｔ”及び“ｒｅｆｅｒｅｎｃｅ  ｕｎｉｔ”を含む。
【００６２】
１０番目のＡＤＩＰ単位（すなわち、ＡＤＩＰ  ｕｎｉｔ  ｎｕｍｂｅｒ＝９）から８３番目のＡＤＩＰ単位（すなわち、ＡＤＩＰ  ｕｎｉｔ  ｎｕｍｂｅｒ＝８２）までのＡＤＩＰ単位は、各々“ｄａｔａ＿０  ｕｎｉｔ”または“ｄａｔａ＿１  ｕｎｉｔ”のいずれか一つで構成される。１５個の単位はＡＤＩＰ単位を４ビットずつ組み合わせて形成され、このように形成された単位は“ＡＤＩＰ  ｃｏｄｅｗｏｒｄ  ｎｉｂｂｌｅ  ｎｕｍｂｅｒ（ｃ０〜ｃ１４）”という。
【００６３】
上述の“ＡＤＩＰ  ｃｏｄｅｗｏｒｄ  ｎｉｂｂｌｅ  ｎｕｍｂｅｒ（ｃ０〜ｃ１４）”には、対応するウォブルの物理的アドレス（すなわち、“ＰＡＡ”：Physical ADIP Address）及び補助データ（ＡＵＸ）が記録される。光記録／再生デバイスは、単一ＡＤＩＰワードを読み出して現在のディスクのＰＡＡ位置を認識することができる。
【００６４】
図７は、本発明によるウォブルカウントプロセスを使用してＯＰＣ開始位置を検索する方法を示す概念図である。
【００６５】
図７を参照すれば、１クラスタに含まれた既使用（すなわち、最後に使われた）ＯＰＣ領域（すなわち、ＡＵＮ６〜ＡＵＮ１５）は１０ＡＵＮを示し、未使用ＯＰＣ領域はＡＵＮ０〜ＡＵＮ５の６ＡＵＮを示す。最後に使われたＯＰＣ領域でのＡＵＮ６は、図３で説明したように、ＡＵＮ６の前にＯＰＣマーカーを挿入することにより検出できる。
【００６６】
現在のＯＰＣプロセスのために必要な所定のサイズを示すＯＰＣ実行サイズは、光記録／再生デバイスにより既に決定され、これは多様な方式で確立できる。ＯＰＣ実行サイズはＡＵＮ２〜ＡＵＮ５の４ＡＵＮと等しいと仮定する。
【００６７】
したがって、ユーザがＡＵＮ２の所定の位置から新しいＯＰＣプロセスを実行することを希望する場合、ユーザはＡＵＮ２に対応する物理的位置を検索しなければならない。
【００６８】
ウォブル情報は、ＡＵＮ２に対応する物理的位置を検索するように適応される。ＯＰＣ開始位置は、図６に示されたウォブルのアドレス情報を示すＡＤＩＰ情報に基づいて発見されなければならない。
【００６９】
ウォブルカウントプロセスを使用してＯＰＣ開始位置を決定するためには、ウォブルカウント基準位置を探すことが要求される。光記録／再生デバイスの検出プロセスで所定の基準ウォブルが検出されると、検出された基準ウォブルはウォブルカウント基準位置であると考えられる。好ましくは、ウォブルカウント基準位置はクラスタの開始位置と同一である場合がある。
【００７０】
ウォブルカウント基準位置を示す上記クラスタ開始位置は、ＡＤＩＰワード開始位置と同一である。図６を参照すれば、ＡＤＩＰワードの先頭の９個のＡＤＩＰ単位は、順番に“ｍｏｎｏｔｏｎｅ  ｕｎｉｔ”、“ｓｙｎｃ＿０  ｕｎｉｔ”、“ｍｏｎｏｔｏｎｅ  ｕｎｉｔ”、“ｓｙｎｃ＿１  ｕｎｉｔ”、“ｍｏｎｏｔｏｎｅ  ｕｎｉｔ”、“ｓｙｎｃ＿２  ｕｎｉｔ”、“ｍｏｎｏｔｏｎｅ  ｕｎｉｔ”、“ｓｙｎｃ＿３  ｕｎｉｔ”、“ｒｅｆｅｒｅｎｃｅ  ｕｎｉｔ”に対応する。したがって、光記録／再生デバイスの検索時間の間、ＡＤＩＰワードの先頭の９個のＡＤＩＰ単位が順番に検出されるかまたは最初の“ｍｏｎｏｔｏｎｅ  ｕｎｉｔ”が検出されると、ＡＤＩＰワード開始位置が確立される。すなわち、クラスタ開始位置は、ウォブルカウント基準位置であると考えられる。
【００７１】
上述した基準位置の他の例によれば、１クラスタに含まれるＡＤＩＰワード開始位置を、ウォブルカウント基準位置であると考えることができる。
【００７２】
言い替えれば、１クラスタは３個のＡＤＩＰワードを含む。１クラスタは“ＡＤＩＰ  ｗｏｒｄ  ０”、“ＡＤＩＰ  ｗｏｒｄ  １”及び“ＡＤＩＰ  ｗｏｒｄ  ２”を含むと仮定する。この場合に、次のＯＰＣ開始位置が“ＡＤＩＰ  Ｗｏｒｄ  １”領域または“ＡＤＩＰ  Ｗｏｒｄ  ２”領域にあれば、“ＡＤＩＰ  Ｗｏｒｄ  ２”領域の開始位置を示すＡＤＩＰワードの先頭の９個のＡＤＩＰ単位は、順番に“ｍｏｎｏｔｏｎｅ  ｕｎｉｔ”、“ｓｙｎｃ＿０  ｕｎｉｔ”、“ｍｏｎｏｔｏｎｅ  ｕｎｉｔ”、“ｓｙｎｃ＿１  ｕｎｉｔ”、“ｍｏｎｏｔｏｎｅ  ｕｎｉｔ”、“ｓｙｎｃ＿２  ｕｎｉｔ”、“ｍｏｎｏｔｏｎｅ  ｕｎｉｔ”、“ｓｙｎｃ＿３  ｕｎｉｔ”、“ｒｅｆｅｒｅｎｃｅ  ｕｎｉｔ”に対応する。しかし、最初の“ｍｏｎｏｔｏｎｅ  ｕｎｉｔ”が検出される場合、“ＡＤＩＰ  Ｗｏｒｄ  １”領域の開始位置または“ＡＤＩＰ  Ｗｏｒｄ  ２”領域の開始位置がウォブルカウント基準位置であると決定されてウォブル数がカウントされる。
【００７３】
したがって、ウォブルカウント基準位置が決定され、記録された領域として動作する既使用ＯＰＣ領域のサイズ情報及び現在のＯＰＣプロセスに必要なＯＰＣ領域のサイズ情報が認識されると、光記録／再生デバイスはウォブルカウント基準位置でウォブルの数をカウントし、ドライブが希望するＯＰＣ開始位置を検索する。
【００７４】
図７に示した好ましい実施形態によれば、ドライブはＡＵＮＯ及びＡＵＮ１の２個のＡＵＮのウォブルをカウントする。単一のＡＵＮは８６８ウォブル長に対応する。したがって、２個のＡＵＮは８６８×２ウォブル長に対応し、ドライブは８６８×２ウォブルの数をカウントしてＯＰＣ開始位置を決定し、決定されたＯＰＣ開始位置で最適記録パワーを算出するためにＯＰＣプロセスを実行する。
【００７５】
図８Ａは、本発明の好ましい第１の実施形態によるマッチングテーブルを使用してＯＰＣ開始位置を検索する方法を示す概念図である。
【００７６】
図８Ａを参照すれば、１クラスタの記録領域を示す既使用ＯＰＣ領域は、ＡＵＮ４〜ＡＵＮ１５の１２個のＡＵＮで表現され、未使用のＯＰＣ領域はＡＵＮ０〜ＡＵＮ３の４個のＡＵＮで表現される。
【００７７】
現在のＯＰＣプロセスのために必要な所定サイズを示すＯＰＣ実行サイズは、光記録／再生デバイスにより予め決定され、多様な方式で確立されうる。本発明の好ましい第１の実施形態によれば、ＯＰＣ実行サイズがＡＵＮ２からＡＵＮ３の２個のＡＵＮに等しいと仮定される。
【００７８】
したがって、ユーザがＡＵＮ２の所定の位置から新しいＯＰＣプロセスを実行することを希望する場合、ユーザはＡＵＮ２に対応する物理的位置を検索しなければならない。
【００７９】
ＡＵＮ２に対応する物理的位置を検索するため、光記録／再生デバイスは、ピックアップ部を使用して記録媒体の情報を読み出すと同時に記録媒体を検索する。記録媒体の検索時間の間、クラスタ開始位置はＡＤＩＰワード０の開始位置と同一なので、クラスタ開始位置及びＡＤＩＰワード０の開始位置がウォブルカウント基準位置であると決定され、ウォブルの数をカウントする動作はウォブルカウント基準位置で開始する。
【００８０】
また、上述の説明に関連して、所定の基準ウォブルが検出されると、検出された基準ウォブルが基準位置であると考えられる。
【００８１】
図６から分かるように、“ＡＤＩＰ  ｗｏｒｄ  ０”の開始位置を示すＡＤＩＰワードの先頭の９個のＡＤＩＰ単位は、順番に“ｍｏｎｏｔｏｎｅ  ｕｎｉｔ”、“ｓｙｎｃ＿０  ｕｎｉｔ”、“ｍｏｎｏｔｏｎｅ  ｕｎｉｔ”、“ｓｙｎｃ＿１  ｕｎｉｔ”、“ｍｏｎｏｔｏｎｅ  ｕｎｉｔ”、“ｓｙｎｃ＿２  ｕｎｉｔ”、“ｍｏｎｏｔｏｎｅ  ｕｎｉｔ”、“ｓｙｎｃ＿３  ｕｎｉｔ”、“ｒｅｆｅｒｅｎｃｅ  ｕｎｉｔ”に対応する。
【００８２】
しかし、最初の“ｍｏｎｏｔｏｎｅ  ｕｎｉｔ”が検出される場合、“ＡＤＩＰ  ｗｏｒｄ  ０”の開始位置がウォブルカウント基準位置に決定されて、ウォブル数がカウントされる。
【００８３】
したがって、ウォブルカウント基準位置が決定され、記録された領域として動作する既使用のＯＰＣ領域のサイズ情報及び現在のＯＰＣプロセスに必要なＯＰＣ領域のサイズ情報が認識されると、光記録／再生デバイスはウォブルカウント基準位置でウォブルの数をカウントし、ドライブが希望するＯＰＣ開始位置を検索する。本発明の好ましい第１の実施形態によって、図５に示されたマッチングテーブルを参照すれば、ＡＵＮ２の対応するＡＤＩＰ単位数は、ＡＤＩＰワード０の３１ＡＤＩＰ単位である。
【００８４】
この場合、１ＡＤＩＰ単位は５６ウォブルを含む。５６ウォブルで構成された１ＡＤＩＰ単位がウォブルカウント基準位置でカウントされて、３１×５６ウォブルが確立されると、光記録／再生デバイスとして動作するドライブが要求するＯＰＣ開始位置が決定される。
【００８５】
したがって、ＯＰＣ開始位置が決定されると、決定されたＯＰＣ開始位置で最適記録パワーを算出することができるＯＰＣプロセスが実行される。したがって、光記録／再生デバイスから対応する記録媒体として動作するディスクの記録命令を受信すれば、記録命令は算出された最適記録パワーで実行されて、データがデータ領域に記録される。
【００８６】
また、他の例として、１クラスタに含まれるＡＤＩＰワード開始位置がウォブルカウント基準位置であると決定されることができ、これに対する詳しい説明は、図８Ｂ及び図８Ｃを参照して説明する。
【００８７】
図８Ｂは、本発明の好ましい第２の実施形態によるマッチングテーブルを使用してＯＰＣ開始位置を検索する方法を示す概念図である。
【００８８】
図８Ｂを参照すれば、１クラスタの記録された領域を示す既使用のＯＰＣ領域がＡＵＮ８〜ＡＵＮ１５の８個のＡＵＮで表現され、未使用のＯＰＣ領域がＡＵＮ０〜ＡＵＮ７の８個のＡＵＮで表現される。
【００８９】
現在のＯＰＣプロセスのために必要な所定のサイズを示すＯＰＣ実行サイズが、光記録／再生デバイスにより予め決定され、これは多様な方式で確立できる。本発明の好ましい第２の実施形態によれば、ＯＰＣ実行サイズがＡＵＮ６からＡＵＮ７の２個のＡＵＮに等しいと仮定される。
【００９０】
したがって、ユーザがＡＵＮ６の所定の位置から新しいＯＰＣプロセスを実行することを希望する場合、ユーザはＡＵＮ６に対応する物理的位置を検索しなければならない。
【００９１】
ＡＵＮ６に対応する物理的位置を検索するため、光記録／再生デバイスはピックアップ部を使用して記録媒体の情報を読み出すと同時に記録媒体を検索する。
【００９２】
記録媒体の検索の間、ＡＤＩＰワード１の開始位置がウォブルカウント基準位置であると決定されてウォブルの数をカウントする動作がウォブルカウント基準位置で開始される。
【００９３】
また、図６から分かるように、“ＡＤＩＰ  ｗｏｒｄ  １”の開始位置を示すＡＤＩＰワードの先頭の９個のＡＤＩＰ単位は、順番に“ｍｏｎｏｔｏｎｅ  ｕｎｉｔ”、“ｓｙｎｃ＿０  ｕｎｉｔ”、“ｍｏｎｏｔｏｎｅ  ｕｎｉｔ”、“ｓｙｎｃ＿１  ｕｎｉｔ”、“ｍｏｎｏｔｏｎｅ  ｕｎｉｔ”、“ｓｙｎｃ＿２  ｕｎｉｔ”、“ｍｏｎｏｔｏｎｅ  ｕｎｉｔ”、“ｓｙｎｃ＿３  ｕｎｉｔ”、“ｒｅｆｅｒｅｎｃｅ  ｕｎｉｔ”に対応する。
【００９４】
しかし、最初の“ｍｏｎｏｔｏｎｅ  ｕｎｉｔ”が検出される場合、“ＡＤＩＰ  ｗｏｒｄ  １”の開始位置がウォブルカウント基準位置に決定されてウォブル数がカウントされる。
【００９５】
したがって、ウォブルカウント基準位置が決定され、記録された領域として動作する既使用のＯＰＣ領域のサイズ情報及び現在のＯＰＣプロセスに必要なＯＰＣ領域のサイズ情報が認識されると、光記録／再生デバイスはウォブルカウント基準位置でウォブルの数をカウントし、ドライブが希望するＯＰＣ開始位置を検索する。本発明の好ましい第２の実施形態によって、図５に示されたマッチングテーブルを参照すれば、ＡＵＮ６の対応するＡＤＩＰ単位数はＡＤＩＰワード１の１０ＡＤＩＰ単位である。
【００９６】
この場合、１ＡＤＩＰ単位は、本発明の好ましい第１の実施形態と同様に５６ウォブルを含む。５６ウォブルで構成された１ＡＤＩＰ単位がウォブルカウント基準位置でカウントされて１０×５６ウォブルが確立されると、光記録／再生デバイスとして動作するドライブが要求するＯＰＣ開始位置が決定される。したがって、決定されたＯＰＣ開始位置で最適記録パワーを算出することができるＯＰＣプロセスが実行される。
【００９７】
図８Ｃは、本発明の好ましい第３の実施形態によるマッチングテーブルを使用してＯＰＣ開始位置を検索する方法を示す概念図である。
【００９８】
図８Ｃを参照すれば、１クラスタの記録された領域を示す既使用のＯＰＣ領域がＡＵＮ１３〜ＡＵＮ１５の３個のＡＵＮで表現され、未使用のＯＰＣ領域がＡＵＮ０〜ＡＵＮ１２の１３個のＡＵＮで表現される。
【００９９】
現在のＯＰＣプロセスのために必要な所定のサイズを示すＯＰＣ実行サイズが光記録／再生デバイスにより予め決定され、これは多様な方式で確立できる。本発明の好ましい第３の実施形態によれば、ＯＰＣ実行サイズがＡＵＮ１１からＡＵＮ１２の２個のＡＵＮと同一であると仮定される。
【０１００】
したがって、ユーザがＡＵＮ１１の所定の位置から新しいＯＰＣプロセスを実行することを希望する場合、ユーザはＡＵＮ１１に対応する物理的位置を検索しなければならない。
【０１０１】
ＡＵＮ１１に対応する物理的位置を検索するため、光記録／再生デバイスはピックアップ部を使用して記録媒体の情報を読み出すと同時に記録媒体を検索する。
【０１０２】
記録媒体の検索の間、ＡＤＩＰワード２の開始位置がウォブルカウント基準位置であると決定されてウォブルの数をカウントする動作がウォブルカウント基準位置で開始される。
【０１０３】
また、図６から分かるように、“ＡＤＩＰ  ｗｏｒｄ  ２”の開始位置を示すＡＤＩＰワードの先頭の９個のＡＤＩＰ単位は、順番に“ｍｏｎｏｔｏｎｅ  ｕｎｉｔ”、“ｓｙｎｃ＿０  ｕｎｉｔ”、“ｍｏｎｏｔｏｎｅ  ｕｎｉｔ”、“ｓｙｎｃ＿１  ｕｎｉｔ”、“ｍｏｎｏｔｏｎｅ  ｕｎｉｔ”、“ｓｙｎｃ＿２  ｕｎｉｔ”、“ｍｏｎｏｔｏｎｅ  ｕｎｉｔ”、“ｓｙｎｃ＿３  ｕｎｉｔ”、“ｒｅｆｅｒｅｎｃｅ  ｕｎｉｔ”に対応する。
【０１０４】
しかし、最初の“ｍｏｎｏｔｏｎｅ  ｕｎｉｔ”が検出される場合、“ＡＤＩＰ  ｗｏｒｄ  ２”の開始位置がウォブルカウント基準位置に決定されてウォブル数がカウントされる。
【０１０５】
したがって、ウォブルカウント基準位置が決定され、記録された領域として動作する既使用のＯＰＣ領域のサイズ情報及び現在のＯＰＣプロセスに必要なＯＰＣ領域のサイズ情報が認識されると、光記録／再生デバイスはウォブルカウント基準位置でウォブルの数をカウントし、ドライブが希望するＯＰＣ開始位置を検索する。本発明の好ましい第３の実施形態によって、図５に示されたマッチングテーブルを参照すれば、ＡＵＮ１１の対応ＡＤＩＰ単位数はＡＤＩＰワード２の４.５ＡＤＩＰ単位である。
【０１０６】
この場合、１ＡＤＩＰ単位は、本発明の好ましい第３の実施形態と同様に５６ウォブルを含む。５６ウォブルで構成された１ＡＤＩＰ単位がウォブルカウント基準位置でカウントされて４.５×５６ウォブルが確立されると、光記録／再生デバイスとして動作するドライブが要求するＯＰＣ開始位置が決定される。したがって、決定されたＯＰＣ開始位置で最適記録パワーを算出することができるＯＰＣプロセスが実行される。
【０１０７】
したがって、ウォブルカウント基準位置が決定され、記録された領域として動作する既使用のＯＰＣ領域のサイズ情報及び現在のＯＰＣプロセスに必要なＯＰＣ領域のサイズ情報が認識されると、光記録／再生デバイスはウォブルカウント基準位置でウォブルの数をカウントし、ドライブが希望するＯＰＣ開始位置を検索する。
【０１０８】
図９は、本発明による光記録／再生デバイスを示すブロック図である。
【０１０９】
図９を参照すれば、光記録／再生デバイスは、光ディスクにデータを記録して／光ディスクからデータを再生する記録再生部２０と、記録再生部２０を制御する制御装置１２と、を含む。
【０１１０】
記録再生部２０は、ピックアップ部１１と、信号プロセッサ１３と、サーボ部１４と、メモリ１５と、マイクロプロセッサ１６と、を含む。ピックアップ部１１は光ディスクに直接データを記録するかまたは光ディスクに記録されたデータを読み出す。信号プロセッサ１３は、ピックアップ部１１から読み出された信号を受信し、受信された信号を希望する信号値に復元するか、または記録される信号を光ディスクに記録される他の信号に変調し、復元された結果または変調された結果を伝送する。サーボ部１４はピックアップ部１１の動作を制御し、光ディスクから希望する信号を正確に読み出し、光ディスクに信号を正確に記録する。メモリ１５は管理情報だけではなくデータも一時的に格納する。マイクロプロセッサ１６は上述の構成要素の全体的な動作を制御する。
【０１１１】
上述の記録再生部２０は、記録媒体のテスト領域において所定のテストを実行して最適記録パワーを算出し、算出された最適記録パワーを記録する。
【０１１２】
上述のように、記録再生部２０だけで構成された光記録／再生デバイスをドライブと言って、これはコンピュータの周辺機器として一般的に使用される。
【０１１３】
制御装置１２は全体的な構成要素の動作を制御する。本発明と関連して、制御装置１２はユーザとのインターフェースを通じてユーザ命令を参照し、光ディスクにデータを記録するか光ディスクからデータを再生することができる記録／再生命令を記録再生部２０に伝送する。
【０１１４】
デコーダ１７は、制御装置１２から制御信号を受信すれば、光ディスクから読み出された信号をデコードし、デコードされた信号を希望する情報に復元して、復元された信号をユーザに伝送する。
【０１１５】
エンコーダ１８は、希望する信号を光ディスクに記録するための制御信号を制御装置１２から受信し、受信された信号を特定のフォーマットの信号（例えば、ＭＰＥＧ２−トランスポートストリームなど）に変換し、このような特定のフォーマットの信号を信号プロセッサ１３に伝送する。
【０１１６】
メモリ１５は、図５に示されたマッチングテーブルの情報を格納する。マイクロプロセッサ１６はメモリ１５に格納されたマッチングテーブル情報を使用して記録媒体テストを実行し、最適記録パワーを算出し、算出された最適記録パワーで最適記録パワーを記録することができる記録再生部を制御する。
【０１１７】
図１０は、本発明による光記録／再生デバイスを使用して記録媒体にデータを記録する方法を示すフローチャートである。
【０１１８】
図１０を参照すれば、ステップＳ１０では、ＯＰＣ領域及びＤＣＺ領域を含む光ディスクが光記録／再生デバイスにロードされる場合、記録再生部２０に含まれるマイクロプロセッサ１６はサーボ部１４を使用してピックアップ部１１の動作を制御し、ロードされたディスクのスキャニングを実行して既使用のＯＰＣ領域と関連する情報を読み出して、既使用のＯＰＣ領域を認識する。
【０１１９】
また、記録媒体の管理情報を格納するＴＤＭＡ領域は、ＯＰＣ領域と関連する管理情報も格納するので、既使用のＯＰＣ領域と関連する情報、特に、既使用のＯＰＣ領域の開始位置を示す情報を格納する。
【０１２０】
ステップＳ２０では、現在のＯＰＣプロセスに必要なＯＰＣ領域のサイズが光記録／再生デバイスで予め決定され、マイクロプロセッサ１６はＯＰＣ領域のサイズを認識する。
【０１２１】
その後、ステップＳ３０では、ウォブルカウント基準位置が決定される。既に言及したように、ウォブルカウント基準位置はクラスタ開始位置またはＡＤＩＰワードとして動作する“ＡＤＩＰ  ｗｏｒｄ  ０”、“ＡＤＩＰ  ｗｏｒｄ  １”、“ＡＤＩＰ  ｗｏｒｄ  ２”の開始位置を示す。ＡＤＩＰワードの先頭の９個のＡＤＩＰ単位はＡＤＩＰワードの開始位置と関連づけられ、その順番に“ｍｏｎｏｔｏｎｅ  ｕｎｉｔ”、“ｓｙｎｃ＿０  ｕｎｉｔ”、“ｍｏｎｏｔｏｎｅ  ｕｎｉｔ”、“ｓｙｎｃ＿１  ｕｎｉｔ”、“ｍｏｎｏｔｏｎｅ  ｕｎｉｔ”、“ｓｙｎｃ＿２  ｕｎｉｔ”、“ｍｏｎｏｔｏｎｅ  ｕｎｉｔ”、“ｓｙｎｃ＿３  ｕｎｉｔ”、“ｒｅｆｅｒｅｎｃｅ  ｕｎｉｔ”を含む。しかし、最初の“ｍｏｎｏｔｏｎｅ  ｕｎｉｔ”が検出される場合、ウォブルカウント基準位置が認識できる。ＡＤＩＰワードの開始位置をウォブルカウント基準位置に設定することが好ましい。
【０１２２】
ステップＳ３０で、ウォブルカウント基準位置が検出されると、ステップＳ４０で、光記録／再生デバイスのマイクロプロセッサ１６は、決定されたウォブルカウント基準位置でウォブル数をカウントし始めて次のＯＰＣ開始位置を検索する。
【０１２３】
また、マッチングテーブルを使用してＯＰＣ開始位置を検索するとき、マイクロプロセッサ１６はまたマッチングテーブルに示されたＡＤＩＰ単位と同一なウォブルを検索する。より具体的には、マイクロプロセッサ１６はＡＤＩＰ単位と同一なウォブルの数をカウントする。この場合、ウォブルカウント開始位置は次のＯＰＣ開始位置として動作する。
【０１２４】
記録再生部２０はＯＰＣプロセスを実行して、検索された現在のＯＰＣ開始位置で最適記録パワーを算出する。制御装置１２から対応するディスクの記録命令を受信すれば、ステップＳ５０で、記録再生部２０は算出された最適記録パワーで対応する記録命令を実行してデータ領域にデータを記録する。
【０１２５】
したがって、本発明はＯＰＣ領域での未使用のＯＰＣ領域を効果的に使用するために現在のＯＰＣプロセスが実行されるＯＰＣ開始位置を検索して、ＯＰＣプロセスを検索されたＯＰＣ開始位置で実行できる方法を提供する。
【０１２６】
さまざまな修正や変形が本発明において発明の要旨や範囲から離れることなく可能であることは当業者にとって明らかであろう。したがって、さまざまな修正や変形が特許請求の範囲およびその均等の範囲にある場合には、本発明は、本発明のさまざまな修正や変形を対象にするということを意図する。
【図面の簡単な説明】
【０１２７】
【図１】本発明に係るデータを記録することができるシングルレイヤの光ディスク構造を示す図である。
【図２】本発明の好ましい実施形態に係るデータを記録することができるデュアルレイヤの光ディスク構造を示す図である。
【図３】本発明に係る最適パワー制御（ＯＰＣ）を実行する方法を示す概念図である。
【図４】本発明に係るクラスタと、ＡＤＩＰ（Address In Pre-groove）ワードと、ＡＵＮ（Address Unit Number）と、ＡＤＩＰ単位と、ウォブルとの間の関係を示す概念図である。
【図５】本発明の好ましい第１の実施形態に係る、ＡＵＮと、ＡＤＩＰワードと、ＡＤＩＰ単位との間のマッチングテーブルを示す図である。
【図６】本発明に係る単一ＡＤＩＰワードが８３個のＡＤＩＰ単位で構成される例を示す図である。
【図７】本発明に係るウォブルカウントプロセスを使用してＯＰＣ開始位置を検索する方法を示す概念図である。
【図８Ａ】本発明の好ましい第１の実施形態によるマッチングテーブルを使用してＯＰＣ開始位置を検索する方法を示す概念図である。
【図８Ｂ】本発明の好ましい第２の実施形態によるマッチングテーブルを使用してＯＰＣ開始位置を検索する方法を示す概念図である。
【図８Ｃ】本発明の好ましい第３の実施形態によるマッチングテーブルを使用してＯＰＣ開始位置を検索する方法を示す概念図である。
【図９】本発明に係る光記録／再生デバイスを示すブロック図である。
【図１０】本発明に係る光記録／再生デバイスを使用して記録媒体にデータを記録する方法を示すフローチャートである。
【図１】
2008512817.tif 000003
【図２】
2008512817.tif 000004
【図３】
2008512817.tif 000005
【図４】
2008512817.tif 000006
【図５】
2008512817.tif 000007
【図６】
2008512817.tif 000008
【図７】
2008512817.tif 000009
【図８Ａ】
2008512817.tif 000010
【図８Ｂ】
2008512817.tif 000011
【図８Ｃ】
2008512817.tif 000012
【図９】
2008512817.tif 000013
【図１０】
2008512817.tif 000014
【国際調査報告】
2008512817.tif 000015
2008512817.tif 000016